(57)【要約】【課題】  コンセントへの電源コードの接続や設置及び取り外し等の取扱いの容易性を確保しつつ、同時に防水性を充分に高める。【解決手段】  コンセントボックス１０は、電源コード１２と、この電源コード１２を他の電源コードに接続するコンセント１４とを備えている。コンセント１４は、基板１６上に設置され、他の電源コードのプラグの差込口２０は、基板１６から下方に臨むように配置されている。この基板１６は、カバー部１８に支持されると共にカバー部１８により覆われている。このカバー部１８は、カバー部１８の下端がプラグの差込口２０よりも下方に延びて基板１６と設置面との間に水の浸入を防止する空気層２２を形成している。【選択図】        図２
0003112769.tif 000002
【実用新案登録請求の範囲】
【請求項１】
電源コードと、前記電源コードを他の電源コードに接続するコンセントとを備えたコンセントボックスにおいて、前記コンセントを支持する基板と前記基板を覆うカバー部とを有し、前記他の電源コードのプラグの差込口は前記基板から下方に臨むように配置され、前記基板は前記カバー部に支持され、前記カバー部は、前記カバー部の下端が前記プラグの差込口よりも下方に延びて前記差込口及び基板に水が浸入するのを防止する空気層を前記カバー部内に形成していることを特徴とするコンセントボックス。
【請求項２】
請求項１に記載されたコンセントボックスであって、前記基板は、端部が前記カバー部の壁面に差し込まれて前記カバー部に支持されていることを特徴とするコンセントボックス。
【請求項３】
請求項１又は請求項２のいずれかに記載されたコンセントボックスであって、設置面に差し込まれる脚部を備えていることを特徴とするコンセントボックス。
【考案の詳細な説明】
【技術分野】
【０００１】
本考案は、特に、屋外において、電源コードを、照明機器等の電源コード等の他のコードに分配又は延長して接続するためのコンセントを備えたコンセントボックスの改良に関し、特に、取扱の容易性を確保しつつ防水性をも高めることに関するものである。
【背景技術】
【０００２】
屋外に照明機器等の電気機器を設置する場合には、複数のプラグ差込口を備えたコンセントボックスを使用して、１つの電源から複数の電気機器に電気を供給することがある。このようなコンセントボックスは、屋外に設置されるため、電気的な接続部に対して充分な防水対策をすることが必要となる。
【０００３】
そのようなコンセントボックスとして、地面に設置されコンセントを支持する台座と、この台座との間に隙間を設けつつ台座を覆うカバー部とを備えたコンセントボックスが提案されている（例えば、特許文献１参照）。
【０００４】
しかし、この従来技術では、コンセントのプラグ差込口が、台座の上側に設定されており、かつ、カバー部は、この台座に支持されて台座を覆っているため、プラグ差込口に他の電気機器の電源コードのプラグを差し込むためには、カバー部を外した状態で差し込んだ上で、改めてカバー部を取り付ける必要があった。このため、電源コードの接続に手間と時間を要する問題があった。
【０００５】
一方、この問題を解決するためには、コンセントのプラグ差込口を、コンセントボックスの側面や下面等の外部に表出させることにより対応することが考えられるが、これでは、防水性が低下するおそれがある。特に、この従来技術において、プラグ差込口を台座から下方に臨むように配置すると、差込のためのスペースを充分に確保することができないと共に、防水のためのカバー部の下端は、この台座の下端よりも上方に位置するため、雨水等が溜まった場合には差込口から浸水し、電気的接続に影響を与えるおそれがある。
【０００６】
更に、この従来技術では、カバー部は、接地して配置された台座に支持され、かつ、台座の設置面は、カバー部の内側に位置するため、コンセントボックスを設置面から取り外す場合には、一度、カバー部を台座から取り外した後、更に、台座を設置面から抜く必要があり、設置箇所の移動や、設置箇所からの取り外しに、手間と時間を要する問題があった。
【０００７】
以上のように、従来は、取扱の容易性と充分な防水性とを同時に兼ね備えた屋外用のコンセントボックスは、必ずしも提供されていないのが現実であった。
【特許文献１】特開２００４−１２９４２３号公報
【考案の開示】
【考案が解決しようとする課題】
【０００８】
本考案が解決しようとする課題は、上記の問題点に鑑み、コンセントへの電源コードの接続や設置及び取り外し等の取扱いの容易性を確保しつつ、同時に充分な防水性を有するコンセントボックスを提供することにある。
【課題を解決するための手段】
【０００９】
本考案は、上記の課題を解決するための第１の手段として、電源コードと、この電源コードを他の電源コードに接続するコンセントとを備えたコンセントボックスにおいて、コンセントを支持する基板と基板を覆うカバー部とを有し、他の電源コードのプラグの差込口は基板から下方に臨むように配置され、基板はカバー部に支持され、カバー部は、カバー部の下端がプラグの差込口よりも下方に延びて差込口及び基板に水が浸入するのを防止する空気層をカバー部内に形成していることを特徴とするコンセントボックスを提供するものである。
【００１０】
本発明は、上記の課題を解決するための第２の手段として、上記第１の解決手段において、基板は、端部がカバー部の壁面に差し込まれてカバー部に支持されていることを特徴とするコンセントボックスを提供するものである。
【００１１】
本発明は、上記の課題を解決するための第３の手段として、上記第１又は第２のいずれかの解決手段において、設置面に差し込まれる脚部を備えていることを特徴とするコンセントボックスを提供するものである。
【考案の効果】
【００１２】
本考案によれば、上記のように、基板をカバー部によりカバー部内の上方に保持してプラグの差込口を下方に臨ませているため、カバー部を基板から取り外すことなくプラグを差し込むことができるのでプラグの差込が容易となると共に、この基板上に載置された電気接続部が接地面より距離をもって配置されると同時に、カバー部が基板よりも下方に延びて空気層を形成しているため、コンセントボックスの下方に雨水等が溜まってコンセントボックスが水没しても、このカバー部内部の空気層により、電気接続部への下方からの浸水が遮断され、その電気的性能に影響を与えないため、防水性を充分に高めることができる実益がある。
【００１３】
同時に、本考案によれば、上記のように、基板をカバー部によりカバー部の内部に保持しているため、カバー部を接地面に抜き差しするだけで、コンセントボックス全体を容易に設置及び取り外しすることができ、取扱いの容易性を確保しつつ、防水性を高めることができる実益がある。
【００１４】
本考案によれば、上記のように、脚部を備えているため、設置面に容易に固定することができると共に、この脚部の接地面への差込深さを調整することにより、基板の地面からの距離をより一層高く設定して、雨水の影響を回避することができると同時に、電源コードの引き出しやプラグの差込等の作業が容易となる実益がある。
【考案を実施するための最良の形態】
【００１５】
本考案の実施の形態を図面を参照しながら詳細に説明すると、図１乃至図３は本考案のコンセントボックス１０を示し、このコンセントボックス１０は、電源コード１２と、この電源コード１２を、図示しない他の電源コードに接続するコンセント（配電部）１４とを備えている。このコンセントボックス１０は、図２及び図３に示すように、更に、コンセント１４を支持する基板１６と、この基板１６を覆うカバー部１８とを有している。
【００１６】
コンセント１４は、図２及び図３に示すように、この基板１４上に設置され、図示しない他の電気機器の電源コードを差し込むためのプラグの差込口２０のみが、基板１６から下方に臨むように配置されている。従って、図２及び図３から解るように、コンセントボックス１０の下方からはプラグの差込口２０のみが外部に臨み、コンセント１４は基板１６の下方から見た基板１６の裏側（基板１６の上側）に設置されている。従って、カバー部１８を取り外すことなく、接続すべき他の電気機器の電源コードを、プラグの差込口２０に簡易に抜き差しすることができる。なお、差込口２０は、図示の実施の形態では、４つの差込口２０が設定されているが、その設置個数や差込口２０の形状に特に限定はなく、必要に応じて、適宜設定することができる。また、この差込口２０には、未使用時に風雨の浸入を防止するためのカバーを取り付けることができる。
【００１７】
一方、カバー部１８は、特に図２に示すように、上部のコンセント収納部１８Ａと、このコンセント収納部１８Ａから多少の段差を設けて下方から延びるようにして形成されたサイドスカート１８Ｂとを有している。基板１６は、図２に示すように、このカバー部１８により、このカバー部１８内に支持されている。
【００１８】
具体的には、基板１４は、その端部１４ａをカバー部１８の壁面１８ａに差し込まれて、カバー部１８により支持されている。従って、コンセント１４を支持する基板１６は、カバー部１８によりカバー部１８の内部に保持されているため、カバー部１８と一体となり、カバー部１８を接地面に抜き差しするだけで、コンセントボックス１０全体を容易に設置及び取り外しすることができ、取扱いの容易性を確保することができる。
【００１９】
また、サイドスカート１８Ｂは、図２に示すように、その下端１８ｂが、プラグ差込口よりも下方に延びている。このため、基板１６に設置されたプラグの差込口２０は、カバー部１８の上下方向のほぼ中央付近に位置し、この基板１６に設置されたコンセント１４や差込口２０が接地面より距離をもって配置されるため、跳ね返り等による雨水の影響を回避することができる。
【００２０】
また、このサイドスカート１８Ｂは、図２に示すように、差込口２０や基板１６に水が浸入するのを防止する空気層２２をカバー部１８内に形成している。即ち、カバー部１８の内部には、コンセントボックス１０の下端側を除き、空気が密閉された状態で存在するため、例えば、桶を湯船に逆さまに沈ませた場合に桶の内部には水が浸入しないのと同様に、この空気層２２により、カバー部１８内への水の浸入が遮断される。
【００２１】
従って、例えば、コンセントボックス１０の下方に雨水等が溜まってコンセントボックス１０が水没しても、このカバー部内部の空気層により、電気的接続部への下方からの浸水が遮断され、その電気的性能に影響を与えないため、防水性を充分に高めることができる。これにより、容易な取り扱い性を確保しつつ、充分に防水性を高めることができる。
【００２２】
なお、この場合、少なくとも、差込口２０を含む基板１６の下面よりも上方に、浸水しなければ電気的性能に影響は与えないため、少なくとも、差込口２０を含む基板１６から上方のコンセント収納部１４に空気が密閉して収納されている状態とすることができれば、サイドスカート１８Ｂの高さは、図示の実施の形態には限られるものではなく、必要に応じて適宜調整することができる。
【００２３】
同様に、差込口２０を含む基板１６から上方のコンセント収納部１４に空気が密閉して収納されていれば、それよりも下方の位置に、孔を設けることは可能であり、当該位置に、例えば、コンセントボックス１０の上下方向に連通する図示しない水抜き孔を設けることにより、この図示しない水抜き孔に、例えば、コンセントボックス１０が何らかの原因で上下が逆さまにひっくり返った時等にカバー部１８内に水が溜まるのを防止する排水口としての役割を持たせることもできる。
【００２４】
また、コンセントボックス１０は、図２及び図３に示すように、設置面に差し込まれる脚部２４を備えている。この脚部２４は、図示の実施の形態では、特に、図１及び図３に示すように、カバー部１８に取り付けられ、カバー部１８のうち、コンセント収納部１８Ａとサイドスカート１８Ｂとの間に設定された４隅の段差部に取り付けられている。このため、脚部２４は、カバー部１８と一体となり、カバー部１８を把持しながら脚部２４の抜き差し作業を行うことができると共に、脚部２４を取り外すことなく、基板１６のみをカバー部１８に着脱することもできる。
【００２５】
従って、この脚部２４により、コンセントボックス１０を、設置面に容易に固定することができると共に、この脚部２４の接地面への差込深さを調整することにより、基板１６の地面からの距離をより一層高く設定して、雨水の影響を回避することができると同時に、電源コードの引き出しやプラグの差込等の作業が容易となる実益がある。
【産業上の利用可能性】
【００２６】
本考案は、特に、屋外に設置される照明機器等に、屋外や屋内のコンセントから分配又は延長して電気を供給するために使用することができる。
【図面の簡単な説明】
【００２７】
【図１】本考案のコンセントボックスの平面図である。
【図２】本考案のコンセントボックスの縦断面図である。
【図３】本考案のコンセントボックスの底面図である。
【符号の説明】
【００２８】
１０  コンセントボックス
１２  電源コード
１４  コンセント
１６  基板
１８  カバー部
１８Ａ  コンセント収納部
１８Ｂ  サイドスカート
１８ａ  カバー部の壁面
１８ｂ  カバー部の下端
２０  プラグの差込口
２２  空気層
２４  脚部
【図１】
0003112769.tif 000003
【図２】
0003112769.tif 000004
【図３】
0003112769.tif 000005